(57)【特許請求の範囲】
【請求項１】
枠状に形成された遊技盤取付枠と、
前記遊技盤取付枠の内側に固定され、遊技球が流下する遊技領域を前面側に形成する遊技盤と、
前記遊技盤取付枠の前面側で前記遊技盤に対して開閉可能に支持される前面枠と、を有する遊技機において、
前記遊技盤取付枠の前面側に遊技球を発射する発射手段が設けられ、
前記遊技盤取付枠の前面に、前記発射手段によって発射された遊技球を前記遊技領域に誘導する第１遊技球誘導経路が形成され、
前記遊技盤の前面に、前記第１遊技球誘導経路に接続され、前記遊技球を前記遊技領域に誘導する第２遊技球誘導経路が形成され、
前記前面枠の背面に、前記前面枠が前記遊技盤に対して閉鎖されるときに前記第１遊技球誘導経路と重なる第３遊技球誘導経路が形成され、前記前面枠が前記遊技盤に対して閉鎖されるときに、少なくとも前記遊技盤が前面側にたわんでいれば前記遊技盤の前面に当接する弾性の突状部と、遊技球を前記第２遊技球誘導経路に誘導可能に、且つ、前記突状部と前記第３遊技球誘導経路とを遮断可能に、前記第３遊技球誘導経路に沿って形成される遮断部と、が設けられていることを特徴とする遊技機。
【発明の詳細な説明】
【技術分野】
【０００１】
本発明は、遊技球を発射させる遊技機に関する。
【背景技術】
【０００２】
従来、遊技店に設置された外枠に固定される内枠と、内枠に取り付けられ、発射された遊技球が流下する遊技領域を形成する遊技盤と、内枠に開閉自在に支持されるガラス枠とを有する遊技機がある（特許文献１参照）。遊技球を発射させる発射装置は内枠の遊技盤の下方に設けられており、発射された遊技球は内枠に設けられた遊技球経路及び遊技盤に設けられた遊技球経路を通って遊技領域に進入する。
【先行技術文献】
【特許文献】
【０００３】
【特許文献１】特開２０１１−１１５２１２号公報
【発明の概要】
【発明が解決しようとする課題】
【０００４】
近年、遊技盤のデザイン性の向上や軽量化を図るために、アクリル製の遊技盤が用いられることがある。アクリル製の遊技盤が射出成形によって形成される場合、製造過程において微少なたわみが発生することがある。そして、例えば、遊技盤の遊技領域が形成される面が膨らむようにたわむと、このたわみによって、発射された遊技球の方向が変化してしまう。
【０００５】
本発明の目的は、上記の背景を鑑みて、発射された遊技球の方向の変化を抑えることができる遊技機の提供を目的とする。
【課題を解決するための手段】
【０００６】
本発明の遊技機は、枠状に形成された遊技盤取付枠（内枠１）と、前記遊技盤取付枠の内側に固定され、遊技球が流下する遊技領域を前面側に形成する遊技盤（遊技盤２）と、前記遊技盤取付枠の前面側で前記遊技盤に対して開閉可能に支持される前面枠（ガラス枠３）と、を有する遊技機において、前記遊技盤取付枠の前面側に遊技球を発射する発射手段が設けられ、前記遊技盤取付枠の前面に、前記発射手段によって発射された遊技球を前記遊技領域に誘導する第１遊技球誘導経路（遊技球誘導経路１）が形成され、前記遊技盤の前面に、前記第１遊技球誘導経路に接続され、前記遊技球を前記遊技領域に誘導する第２遊技球誘導経路（遊技球誘導経路２）が形成され、前記前面枠の背面に、前記前面枠が前記遊技盤に対して閉鎖されるときに前記第１遊技球誘導経路と重なる第３遊技球誘導経路が形成され、前記前面枠が前記遊技盤に対して閉鎖されるときに、少なくとも前記遊技盤が前面側にたわんでいれば前記遊技盤の前面に当接する弾性の突状部（たわみ防止部材３２）と、遊技球を前記第２遊技球誘導経路に誘導可能に、且つ、前記突状部と前記第３遊技球誘導経路とを遮断可能に、前記第３遊技球誘導経路に沿って形成される遮断部と、が設けられていることを特徴とする。
【発明の効果】
【０００７】
本発明の遊技機によれば、遊技領域が形成された遊技盤に対して開閉可能な前面枠の背面に、前面枠が遊技盤に対して閉鎖されているときに、少なくとも遊技盤が前面側にたわんでいれば、遊技盤の前面に当接する弾性の突状部が設けられているので、発射された遊技球の方向の変化を抑えることができる。
【図面の簡単な説明】
【０００８】
【図１】遊技機の正面図である。
【図２】ガラス枠が開放した様子を表す遊技機の斜視図である。
【図３】図２の部分拡大図である。
【図４】ファール球ユニット及びたわみ防止部材がガラス枠に取り付けられている様子を表す図である。
【図５】（ａ）はたわみ防止部材の平面図、（ｂ）たわみ防止部材の正面図、（ｃ）はたわみ防止部材の側面図である。
【図６】遊技盤がたわんでおらず、遊技盤の遊技球発射経路と内枠の遊技球発射経路とが面一になっている場合に、開放されているガラス枠が閉鎖する様子を表す図である。
【図７】遊技盤が前面側にたわみ、遊技盤の遊技球発射経路が内枠の遊技球発射経路に対して突出している場合に、開放されているガラス枠が閉鎖する様子を表す図である。
【発明を実施するための形態】
【０００９】
以下、本発明の実施形態について図面を参照しながら具体的に説明する。図１に示すように、遊技機Ｙは、遊技店の島設備に固定された外枠（図示なし）に回動可能に支持される枠状の内枠（遊技盤取付枠）１と、内枠１の内側に着脱可能に嵌め込まれた遊技盤２と、内枠１の前面側で遊技盤２に対して開閉可能に支持されるガラス枠（前面枠）３とを具備する。
【００１０】
ガラス枠３は、水平方向の一端側においてヒンジ機構部Ｈを介して内枠１に回動可能に連結されている。ガラス枠３にはガラス板Ｇが嵌め込まれており、ガラス枠３とガラス板Ｇとで、内枠１及び遊技盤２の前面側（遊技者側）を開閉することができる。一方、ガラス枠３は、水平方向の他端側において、鍵式のロック機構Ｒを介して内枠１に施錠される。ロック機構Ｒによる固定は、専用の鍵によって解除することが可能とされている。また、ロック機構Ｒによって、内枠１と外枠とも施錠されている。
【００１１】
また、ガラス枠３には、遊技球を発射させる操作を行うための発射操作装置４、遊技に応じた演出を行うスピーカーからなる音声出力装置７２、ＬＥＤを具備する演出用照明装置７３〜７８、及び、複数の遊技球を貯留する受け皿６が設けられている。
【００１２】
発射操作装置４は、ガラス枠３に固定されている基体４１、基体４１に回動可能に設けられている発射ハンドル４２、発射ハンドル４２内に取り付けられているタッチセンサ４２ａ、及び、発射ハンドル４２に連動して回動し、発射ハンドル４２の回転角度を検出する発射ボリューム検出センサ４２ｂを具備している。
【００１３】
遊技者が発射ハンドル４２に触れると、タッチセンサ４２ａが発射ハンドル４２に人間が接触したことを検出し、遊技球の発射に係る制御を行う発射制御基板に発射ハンドル検出信号を送信する。また、発射ハンドル４２が回動すると、発射ボリューム検出センサ４２ｂはこの回転角度を検出し、回転角度に応じた回転角度検出信号を発射制御基板に送信する。
【００１４】
ところで、発射操作装置４は発射制御基板を介して、遊技球を発射する発射装置ユニット５に接続されている。図２に示すように、発射装置ユニット５は内枠１の土台部１Ａの前面に嵌め込まれている。
【００１５】
発射装置ユニット５は、図３に示すように、通電されることにより回転駆動する発射用ソレノイド５１と、発射用ソレノイド５１への通電もしくは非通電によって回転軸を中心に予め定められた角度範囲内で揺動し、発射位置に置かれた遊技球を遊技領域２Ａへ向けて打ち出す発射槌５２とを有する。
【００１６】
上述したように発射ハンドル４２が回転すると、発射ボリューム検出センサ４２ｂが発射ハンドル４２の回転角度に応じた回転角度検出信号を発射制御基板に送信するが、発射制御基板は回転角度検出信号に基づいて発射ハンドル４２の回転角度に応じた電圧を発射用ソレノイド５１に印加する。
【００１７】
発射用ソレノイド５１に電圧が印加されると、発射用ソレノイド５１が印加電圧に応じて作動する。すなわち、発射ハンドル４２の回動角度（発射ボリューム検出センサ４２ｂが検出する回転角度）に応じた強さ（以下、「遊技球発射強度」という）で、遊技球が発射される。
【００１８】
なお、発射装置ユニット５には、発射槌５２によって打ち出された遊技球を遊技盤２に形成された遊技領域２Ａへ導く遊技球誘導通路ｙ５が形成されている。遊技球誘導通路ｙ５は、下側誘導壁５３と上側誘導壁５４とで区画されている。
【００１９】
遊技盤２は、透明なアクリル製の合成樹脂から形成されており、遊技球が流下する遊技領域２Ａを構成する厚さ９ｍｍの平板部（図示なし）と、平板部の外縁から突設された高さ１６ｍｍの固定用リブ部（図示なし）とからなる。図２に示すように、遊技盤２は、内枠１の土台部１Ａの上面に裁置されており、固定用リブ部の略４隅で内枠１の内側に設けられた所定の固定用の金具１１〜１４によって内枠１に着脱自在に固定されている。遊技盤２が適切に内枠１に固定されたとき、平板部の固定用リブ部が突設されていない面が遊技者側を向き、遊技領域２Ａを形成する。なお、遊技盤２は、射出成型により製造されており、遊技盤２の前面（遊技領域２Ａ）がキャビティ側、背面がコア側となっている。
【００２０】
図１に示すように、遊技盤２の前面には、遊技球が流下する遊技領域２Ａを区画する区画部材２９が設けられている。区画部材２９は、枠状の飾り枠２９Ａ、後述する第１大入賞口２３の下方に配置され、遊技球を第２始動口２２に誘導する誘導経路を構成する誘導部材２９Ｂ、並びに、湾曲形状を呈した外側レール部材２９Ｃ及び内側レール部材２９Ｄで構成されている。
【００２１】
飾り枠２９Ａは遊技盤２の中央部に大きく形成された嵌合孔２ａに嵌め込まれている（図２参照）。飾り枠２９Ａの内側には、液晶表示装置からなる画像表示装置７１が嵌め込まれている。また、内側レール部材２９Ｄは飾り枠２９Ａの外側に配置され、外側レール部材２９Ｃは内側レール部材２９Ｄのさらに外側に配置されている。
【００２２】
発射装置ユニット５によって有効に（所定の遊技球発射強度で正常に）発射された遊技球は、外側レール部材２９Ｃと内側レール部材２９Ｄとの間を通って遊技領域２Ａに進入し、遊技領域２Ａを流下する。すなわち、外側レール部材２９Ｃと内側レール部材２９Ｄとによって、発射された遊技球を遊技領域２Ａに誘導する遊技球誘導経路ｙ２が形成されている。
【００２３】
ここで、図３示すように、内枠１の土台部１Ａの上面に裁置された遊技盤２の遊技球誘導経路ｙ２と、内枠１の土台部１Ａの前面に嵌め込まれた発射装置ユニット５の遊技球誘導経路ｙ５とは、内枠１の前面に形成された遊技球誘導経路ｙ１によって接続されている。すなわち、発射装置ユニット５によって発射された遊技球は、遊技球誘導経路ｙ５、遊技球誘導経路ｙ１、遊技球誘導経路２によって遊技領域２Ａに誘導される。
【００２４】
図４に示すように、ガラス枠３の下端部３Ａの裏面には、ファール球（発射装置ユニット５によって発射されたが遊技領域２Ａに到達できずに戻ってきた遊技球）を回収するファール球ユニット３１と、遊技盤２のたわみ等が原因となり遊技球誘導経路ｙ１より前面側に突出した遊技球誘導経路ｙ２を背面側に押し込む（遊技盤２のたわみを防止する）たわみ防止部材３２とが設けられている。
【００２５】
ファール球ユニット３１には、ガラス枠３が閉鎖されたときに内枠１の遊技球誘導経路ｙ１に重なり、遊技球誘導経路ｙ５と遊技球誘導経路２との間に配される遊技球誘導経路ｙ３が形成されている。遊技球誘導経路ｙ３は、第１下側誘導壁３１１と、上側誘導壁３１２とで区画されている。
【００２６】
ファール球ユニット３１の下側誘導壁３１１の両側には第１ファール口３１３及び第２ファール口３１４が形成されており、各ファール口３１３、３１４は、所定のファール球回収経路（図示なし）を介して受け皿６の下側貯留部６１（図１参照）に連通している。
【００２７】
図５（ａ）〜図５（ｃ）に示すように、たわみ防止部材３２は上側誘導壁３１２の直上に裁置されており、ガラス枠３の下端部３Ａの背面に固定されている。たわみ防止部材３２は、プラスチック製の合成樹脂から形成されており、ガラス枠３に固定させるための固定部３２１と、固定部３２１から連設され、ガラス枠３から離隔する向きに突出した突状部３２２と、突状部３２２から連設し、ファール球ユニット３１に係止させるための係止部３２３とを有する。
【００２８】
固定部３２１には、ガラス枠３に設けられたねじ穴（図示なし）に対してファール球ユニット３１と共締めさせるねじを挿入する挿入穴３２１ａが形成されている。
【００２９】
突状部３２２は、平面視略Ｕ字状を呈しており、ガラス枠３の回転半径方向（ガラス枠３の背面の回転軸に直交する方向）に沿って湾曲している。突状部３２２はガラス枠３の回転軸に近い方の先端で固定部３２１に接続され、全体で少なくとも水平方向（突状部３２２の側面に対して垂直な方向）の荷重に対して弾性変形可能となっている。すなわち、例えば、突状部３２２の先端部分にガラス枠３に近接する向きの荷重を与えると、突状部３２２と固定部３２１との連結部分から反力を受けることとなる。また、突状部３２２は、それ自体も少なくとも水平方向（突状部３２２の側面に対して垂直な方向）の荷重に対して弾性変形可能な構成となっている。
【００３０】
一方、突状部３２２の他方の先端には、鍵状を呈した係止部３２３が連設されており、ファール球ユニット３１の上側誘導壁３１３付近に、係止部３２３を挿入させるための挿入部３１５が設けられている。本実施の形態において、挿入部３１５には、係止部３２３が挿入される略直方体形状の挿入穴３１５ａが形成されている。そして、挿入部３１５の内壁面から（挿入穴３１５ａの中には）、ガラス枠３から離隔する向きに移動する係止部３２３を係止させる被係止部３１５ｂが形成されている。本実施の形態において、被係止部３１５ｂは、挿入穴３１５ａの中のガラス枠３の回転半径方向外側に設けられている。
【００３１】
ここで、係止部３２３の長さＬ１は、挿入穴３１５ａのガラス枠３の裏面に直交する方向の長さＬ２より短い。また、係止部３２３の幅（鉛直方向の長さ）Ｈ１より挿入穴３１５ａのガラス枠３の回転軸方向（鉛直方向）の長さＨ２の方が長く、挿入穴３１５ａのガラス枠３の回転軸方向の長さＨ２より突状部３２２の幅（鉛直方向の長さ）Ｈ３の方が長い。よって、突状部３２２にガラス枠３に近接する向きの荷重を受けたとしても、係止部３２３の先端が挿入穴３１５ａの底面に接することなく、突状部３２２が挿入部３１５に係止する。
【００３２】
なお、本実施の形態において、係止部３２３は、被係止部３１５ｂにガラス枠３の回転半径方向内向きにも係止されている。
【００３３】
たわみ防止部材３２は、ガラス枠３が遊技盤２に対して閉鎖されている状態において、少なくとも遊技盤２が前面側にたわんでいれば遊技盤２の前面に当接するように設けられている。よって、ガラス枠３が開放されている状態では、遊技盤２がたわんでいる場合であっても、ガラス枠３を閉鎖するとたわみ防止部材３２によって遊技盤２の前面が背面側へ押され、当該たわみが軽減される。よって、発射された遊技球の方向の変化を抑えることができる。
【００３４】
なお、たわみ防止部材３２は、ガラス枠３が遊技盤２に対して閉鎖されている状態において、「少なくとも遊技盤２が前面側にたわんでいれば」遊技盤２の前面に当接する。言い換えれば、開放状態において遊技盤２がたわんでいなければたわみ防止部材３２は遊技盤２の前面に当接してもしなくてもよいこととなるが、当接していれば、具体的には、ガラス枠３が閉鎖されたときに、突状部３２２の先端が内枠１の前面に形成された遊技球誘導経路ｙ１より背面側に位置するように設けられていれば、遊技盤２がたわんでおらず、遊技盤２の前面と遊技球誘導経路ｙ１とが面一状態のときでも、たわみ防止部材３２の突状部３２２が上記の遊技盤２の位置Ｘに当接し、遊技盤２を背面側に押し込み、遊技盤２の内枠１に対する固定を一層強固にすることができる。例えば、図６に示すように、開放しているガラス枠３を閉鎖しようとするときに、最初は突状部３２２の先端は遊技盤２の前面の位置Ｘから離れているが（図６（ａ））、ガラス枠３が完全に閉鎖される直前で、突状部３２２の先端が遊技盤２の前面の位置Ｘに当接する（図６（ｂ））。そして、突状部３２２の先端と遊技盤２の前面の位置Ｘとが当接した状態からガラス枠３を完全に閉鎖すると、突状部３２２の当該開閉方向に対する位置は固定されながらも、挿入部３１５がガラス枠３に押されながら遊技盤２に近付くことで、突状部３２２が先端からガラス枠３の方へ約０．５ｍｍ押されることとなる（係止部３２３の先端と挿入部３１５との距離が約０．５ｍｍ縮まる）。
【００３５】
また、たわみ防止部材３２は、ガラス枠３の回転する方向において、突状部３２２が遊技盤２Ａの遊技球誘導経路ｙ１と遊技球誘導経路ｙ５との境界の直上の位置Ｘに対向するようにガラス枠３の背面に設けられている。よって、遊技盤２のたわみが原因で遊技盤２の遊技球誘導経路ｙ２が内枠１の遊技球誘導経路ｙ１より前面側に突出し、段差が生じている場合であっても、ガラス枠３が閉鎖されたときに、たわみ防止部材３２の突状部３２２で遊技盤２を背面側に押し込み、当該段差を解消し、遊技球の方向の変化を軽減することができる。例えば、図７に示すように、開放しているガラス枠３を閉鎖しようとするときに、最初は突状部３２２の先端は遊技盤２の前面の位置Ｘから離れているが（図７（ａ））、ガラス枠３が上記の遊技盤２がたわんでいない場合より早い段階で、突状部３２２の先端が遊技盤２の前面の位置Ｘに当接する。そして、突状部３２２の先端と遊技盤２の前面の位置Ｘとが当接した状態からさらにガラス枠３を閉鎖しようとすると、突状部３２２の当該開閉方向に対する位置は固定されながらも、挿入部３１５がガラス枠３に押されながら遊技盤２に近付き、突状部３２２と挿入部３１５とが当接する（図７（ｂ））。そして、ガラス枠３を完全に閉鎖する際に、突状部３２２が挿入部３１５と一体となってガラス枠３に押されながら、遊技盤２を背面側に押し込む。この結果、遊技盤２の遊技球誘導経路ｙ２と内枠１の遊技球誘導経路ｙ１とが面一状態となり、当該段差が解消される（図７（ｃ））。
【００３６】
遊技領域２Ａには、複数（本実施の形態では４つ）の一般入賞口２７が設けられている。各一般入賞口２７には、一般入賞口検出センサが設けられており、この一般入賞口検出センサが遊技球の入賞を検出すると、所定の賞球（例えば１０個の遊技球）が払い出される。
【００３７】
また、遊技領域２Ａには、遊技球の通過が可能な第１入賞ゲート２５及び第２入賞ゲート２６が設けられている。第１入賞ゲート２５は飾り枠２９Ａの左方に位置し、第２入賞ゲートは飾り枠２９Ａの右方に位置する。各入賞ゲート２５、２６には、遊技球を検出する入賞ゲート検出センサ（第１入賞ゲート検出センサ、第２入賞ゲート検出センサ）が設けられている。これらの入賞ゲート検出センサが遊技球を検出することを条件に、普通図柄の抽選が行われる。
【００３８】
遊技領域２Ａの下部で、画像表示装置７１の下方には、不変であり、且つ、常時入球可能である第１始動口２１が設けられている。釘や風車等によって遊技球を第１始動口２１へ誘導する一連の遊技球経路が形成されている。第１始動口２１には、遊技球を検出する第１始動口検出センサが設けられており、この検出センサが遊技球を検出することを条件に、第１特別図柄の抽選が行われる。また、第１始動口検出センサが遊技球を検出すると、所定個数（例えば、３個）の賞球が払い出される。
【００３９】
第１始動口２１の直下に、可変の第２始動口２２が設けられている。第２始動口２２は、第２始動口制御装置２２０によって入賞不可能な第１の基本態様又は入賞可能な第１の特別態様のいずれかに制御される。第２始動口２２にも、遊技球を検出する第２始動口検出センサが設けられており、この検出センサが遊技球を検出することを条件に、第２特別図柄の抽選が行われる。また、第２始動口検出センサが遊技球を検出すると、所定個数（例えば、３個）の賞球が払い出される。
【００４０】
第２始動口制御装置２２０は下辺部分に回転軸が設けられた扉部材で構成される普通可動片２２０Ａを具備しており、普通可動片２２０Ａは所定条件が成立する場合にのみ作動する。すなわち、普通可動片２２０Ａは、通常は（所定条件が成立する以外は）、表面が遊技領域２Ａと面一になる状態で停止し、第２始動口２２を封鎖している。この停止状態の（未作動の）普通可動片２２０Ａによって第２始動口２２が封鎖されることで、第２始動口２２が入賞不可能な第１の基本態様に制御されている。
【００４１】
一方、所定条件が成立すると、普通可動片２２０Ａが回転軸を中心に前方側に回動して第２始動口２２が開放されることで、第２始動口２２が入賞可能な第１の特別態様に制御される。このとき、第２始動口２２が開放されると共に、普通可動片２２０Ａが遊技領域２Ａから突出した状態になるため、流下する遊技球を受けて第２始動口２２へ誘導することが可能となる。なお、第２始動口制御装置２２０についての所定条件とは、上述した普通図柄の抽選（以下において、「普通図柄抽選」という）において、当たりに当選することである。
【００４２】
図１に示すように、第２入賞ゲート２６の下流側には、可変の第１大入賞口２３が設けられている。第１大入賞口２３は、第１大入賞口制御装置２３０によって入賞不可能な第２の基本態様又は入賞可能な第２の特別態様のいずれかに制御される。第１大入賞口２３には、遊技球を検出する第１大入賞口検出センサが設けられており、この検出センサが遊技球を検出すると、所定個数（例えば、１５個）の賞球が払い出される。
【００４３】
第１大入賞口制御装置２３０は下辺部分に回転軸が設けられた扉部材で構成される第１特別可動片２３０Ａを具備しており、第１特別可動片２３０Ａは所定条件が成立する場合にのみ作動する。すなわち、第１特別可動片２３０Ａは、通常は（所定条件が成立する以外は）、表面が遊技領域２Ａと面一になる状態で停止し、第１大入賞口２３を封鎖している。この停止状態の（未作動の）第１特別可動片２３０Ａによって第１大入賞口２３が封鎖されることで、第１大入賞口２３が入賞不可能な第２の基本態様に制御されている。
【００４４】
一方、所定条件が成立すると、第１特別可動片２３０Ａが回転軸を中心に前方側に回動して第１大入賞口２３が開放されることで、第１大入賞口２３が入賞可能な第２の特別態様に制御される。このとき、第１大入賞口２３が開放されると共に、第１特別可動片２３０Ａが遊技領域２Ａから突出した状態になるため、流下する遊技球を受けて第１大入賞口２３へ誘導することが可能となる。なお、第１大入賞口制御装置２３０についての所定条件とは、上述した第１特別図柄の抽選又は第２特別図柄の抽選（以下において、第１特別図柄の抽選又は第２特別図柄の抽選の双方を指す場合、総称して「特別図柄抽選」という）において、特賞（大当たり）に当選することである。
【００４５】
また、飾り枠２９Ａの第２入賞ゲート２６の近傍に、可変の第２大入賞口２４が設けられている。第２大入賞口２４は、第２大入賞口制御装置２４０によって入賞不可能な第３の基本態様又は入賞可能な第３の特別態様のいずれかに制御される。第２大入賞口２４にも、遊技球を検出する第２大入賞口検出センサが設けられており、この検出センサが遊技球を検出することを条件に、所定個数（例えば、１５個）の賞球が払い出される。
【００４６】
第２大入賞口２４は、基本的には第３の基本態様に制御されているが、所定条件が成立する場合にのみ第３の特別態様に制御される。第２大入賞口制御装置２４０は、１個の羽根状部材で構成される第２特別可動片２４０Ａを具備しており、通常は（所定条件が成立する以外は）停止している。この停止状態の（未作動の）第２特別可動片２４０Ａによって、第２大入賞口２４が封鎖されることで、第２大入賞口２４が入賞不可能な第３の基本態様に制御されている。所定条件が成立すると、第２特別可動片２４０Ａを構成する１個の羽根状部材が下方の基端部を中心に右側に回動することで第２大入賞口２４が開放され、第２大入賞口２４が入賞可能な第３の特別態様に制御される。なお、第２大入賞口制御装置２４０についての所定条件とは、上述した特別図柄抽選において、特賞（大当たり）に当選することである。
【００４７】
また、遊技機Ｙには、演出を実行するさまざまな演出装置が設けられている。本実施の形態では、演出装置は、画像表示装置７１、音声出力装置７２、照明装置７３〜７８及び役物装置８０〜８４で構成されている。
【００４８】
画像表示装置７１は、上述したように飾り枠２９Ａを介して遊技盤２に設けられており、様々な静止画や動画を表示することで画像による演出（画像演出）を行う。なお、本実施形態においては、画像表示装置７１として液晶表示装置が用いられているが、プラズマディスプレイ、プロジェクター、円環状の構造物からなるリール、いわゆる７セグメントＬＥＤ、ドットマトリクス等の表示装置等を用いこともできる。
【００４９】
音声出力装置７２は、遊技機枠Ｙ２に設けられており、ＢＧＭ（バックグランドミュージック）、ＳＥ（サウンドエフェクト）等を出力することで音声による演出（音声演出）を行い、１組のスピーカーで構成されている。
【符号の説明】
【００５０】
Ｙ          遊技機
１          内枠
２          遊技盤
３          ガラス枠
５          発射装置ユニット
３２        たわみ防止部材
３２１      固定部
３２２      突出部
３２３      係止部
【図１】
0005372121.tif 000002
【図２】
0005372121.tif 000003
【図３】
0005372121.tif 000004
【図４】
0005372121.tif 000005
【図５】
0005372121.tif 000006
【図６】
0005372121.tif 000007
【図７】
0005372121.tif 000008